(57)【要約】【課題】簡単な構造で小型化でき、しかも各々のエレメントの影響を受けることなく複数の周波数に共振できるアンテナ装置を提供する。【解決手段】棒状のベース部材Ｂと、ベース部材Ｂに巻回される第１のエレメント１と、第１のエレメント１の先端に接続されベース部材Ｂに巻回される第２のエレメント２とからなり、第１のエレメント１を第１の周波数帯域に共振するように形成すると共に、第１のエレメント１および第２のエレメント２との全体にて第２の周波数帯域に共振するように形成したアンテナであって、第１のエレメント１と第２のエレメント２とを逆方向に巻回する構成とした。【選択図】          図１
2004304499.tif 000002
【特許請求の範囲】
【請求項１】
棒状のベース部材と、前記ベース部材に巻回される第１のエレメントと、前記第１のエレメントの先端に接続され前記ベース部材に巻回される第２のエレメントとからなり、
前記第１のエレメントと第２のエレメントとを逆方向に巻回したことを特徴とするアンテナ装置。
【請求項２】
棒状のベース部材と、前記ベース部材に巻回される第１のエレメントと、前記第１のエレメントの先端に接続され前記ベース部材に巻回される第２のエレメントとからなり、
前記第１のエレメントを第１の周波数帯域に共振するように形成すると共に、前記第１のエレメントおよび第２のエレメントとの全体にて第２の周波数帯域に共振するように形成したアンテナであって、
前記第１のエレメントと第２のエレメントとを逆方向に巻回したことを特徴とするアンテナ装置。
【発明の詳細な説明】
【０００１】
【産業上の利用分野】
本発明は、複数の周波数に共振することができる小型のアンテナ装置に関する。
【０００２】
【従来の技術】
従来、携帯電話機などに使用される小型のアンテナとして、たとえばデュアルバンドアンテナが知られている。このデュアルバンドアンテナは、ヘリカル状で、基端側ほどターン毎にそのピッチが大きくなるようにし、全体の実効長が、第１周波数帯の１／４波長であるとともに、これよりも周波数の高い第２周波数帯の３／４波長であるように構成したものである（例えば、特許文献１参照）。
【０００３】
このように構成されたデュアルバンドアンテナは、比較的簡単な構造であり、小型軽量に構成でき、携帯電話などのアンテナとして好適である。しかしながら、このようなデュアルバンドアンテナは、ピッチの大きな基端側のエレメントの巻線の方向と、ピッチの小さな先端側のエレメントの巻線の方向が同一なので、この２つのエレメントに発生する磁束の方向も同一となり、基端側のエレメントに共振する第１周波数帯と、エレメント全体に共振する第２周波数帯の分離が悪くなるという問題があった。
【０００４】
【特許文献１】
特開２０００−２２３９２９号公報
【０００５】
【発明が解決しようとする課題】
そこで、この問題を解決する手段として、図３に示すようなデュアルバンドヘリカルアンテナがあった。このデュアルバンドヘリカルアンテナは、中空棒状のベース部材Ｂに一方の側に疎巻きの第１のエレメント１１と、棒状のベース部材Ｂの他方の側に疎巻きの第２のエレメント１２を形成し、第１のエレメント１１と第２のエレメント１２の間に密巻きの分離用のエレメント１３を介在させ、第１のエレメント１１と第２のエレメント１２を接続するものである。
【０００６】
しかしながら、上述した従来のデュアルバンドヘリカルアンテナにおいては、第１のエレメント１１と第２のエレメント１２の間に密巻きの分離用のエレメント１３を必要とするため、分離用のエレメント１３のため相当の巻数の余分なコイルが必要になるとともに、この分離用のエレメント１３のための相当のスペースを必要とし、アンテナ全体が大きくなってしまうという問題か発生した。
【０００７】
本発明は上述した従来の問題点に鑑みなされたもので、その目的とするところは、簡単な構造で小型化でき、しかも各々のエレメントの影響を受けることなく複数の周波数に共振できるアンテナ装置を提供するものである。
【０００８】
【課題を解決するための手段】
本発明は上述した問題点を解決するために鑑みなされたもので、棒状のベース部材と、前記ベース部材に巻回される第１のエレメントと、前記第１のエレメントの先端に接続され前記ベース部材に巻回される第２のエレメントとからなり、前記第１のエレメントと第２のエレメントとを逆方向に巻回したことを特徴としている。
【０００９】
上記構成によれば、第１のエレメントと第２のエレメントとを逆方向に巻回してあるので、第１のエレメントと第２のエレメントに発生する磁束の方向が逆となり、第１のエレメントと第２のエレメントの接続部で信号の位相が変わるので、受信信号の分離特性が向上する。
【００１０】
また、本発明のアンテナ装置は、棒状のベース部材と、前記ベース部材に巻回される第１のエレメントと、前記第１のエレメントの先端に接続され前記ベース部材に巻回される第２のエレメントとからなり、前記第１のエレメントを第１の周波数帯域に共振するように形成すると共に  、前記第１のエレメントおよび第２のエレメントとの全体にて第２の周波数帯域に共振するように形成したアンテナであって、前記第１のエレメントと第２のエレメントとを逆方向に巻回したことを特徴とするものである。
【００１１】
上記構成によれば、第１のエレメントと第２のエレメントとを逆方向に巻回してあるので、第１のエレメントと第２のエレメントに発生する磁束の方向が逆となり、第１のエレメントと第２のエレメントの接続部で信号の位相が変わるので、受信信号の分離特性が向上し、分離用のエレメントが不要になるので、アンテナ装置の小型化が可能となる。
【００１２】
【発明の実施の形態】
本発明に係るアンテナ装置の実施の形態を図に基づいて説明する。図１は本発明のアンテナ装置を示す斜視図、図２は図１のアンテナ装置の作用を説明するための説明図である。
【００１３】
本発明に係るアンテナ装置は、図１に示すように、棒状のベース部材１と、このベース部材Ｂに巻回される第１のエレメント１と、第１のエレメント１の先端１ａに接続され前記ベース部材１に巻回される第２のエレメント２とからなり、第１のエレメント１を第１の周波数帯域に共振するように形成すると共に、第１のエレメント１および第２のエレメント２との全体にて第２の周波数帯域に共振するように形成したアンテナでる。そして、このアンテナ装置アンテナは第１のエレメント１と第２のエレメント２とを逆方向に巻回してあることが特徴である。
【００１４】
このアンテナ装置に使用するベース部材Ｂは、ベークライトなどの誘電率の高い絶縁物の材料から形成されたもので、中空の円筒形に加工されている。第１のエレメント１および第２のエレメント２は、通常は銅線の細線を使用するものである。また、第１のエレメント１および第２のエレメント２は、密巻き、疎巻きどちらの巻き方でも可能である。
【００１５】
この第１のエレメント１および第２のエレメント２の巻き方は、図２に示すように、ベース部材Ｂの基端部側から所定のピッチで巻き始た第１のエレメント１の先端１ａより折り返し、そのまま第２のエレメント２の基端２ａとして、第１のエレメント１とは逆方向に巻回したものである。
【００１６】
このように構成されたアンテナ装置は、第１のエレメント１の実効長を周波数の高い第１の周波数に共振できるように設定され、ＡＮＴ１として機能する。また、第１のエレメント１と第２のエレメント２の合計の実効長を周波数の低い第２の周波数に共振できるように設定され、ＡＮＴ２として機能する。そこで、第１の周波数と第２の周波数がともに共振できるアンテナ装置を提供することが可能となる。
【００１７】
また、このように構成されたアンテナ装置は、第１のエレメントと第２のエレメントの間に、従来必要とされた分離用のエレメントが不要となるので、構造が簡単になるとともに小型軽量化できるものである。また、第１のエレメント１と第２のエレメント２とを逆方向に巻回してあることにより、分離性の優れたアンテナとすることができるものである。
【００１８】
なお、本発明のアンテナ装置は、上述した実施の形態に限定されるものではなく、特許請求の範囲内にて様々な態様が可能なことは勿論である。例えば、第１のエレメント１と第２のエレメント２は等ピッチでも不等ピッチでもよいことは勿論のこと、密巻きでも疎巻きでもよいことは勿論である。
【００１９】
【発明の効果】
以上のように、本発明のアンテナ装置は、棒状のベース部材と、前記ベース部材に巻回される第１のエレメントと、前記第１のエレメントの先端に接続され前記ベース部材に巻回される第２のエレメントとからなり、前記第１のエレメントを第１の周波数帯域に共振するように形成すると共に、前記第１のエレメントおよび第２のエレメントとの全体にて第２の周波数帯域に共振するように形成したアンテナであって、前記第１のエレメントと第２のエレメントとを逆方向に巻回したことにより、従来必要とされた分離用のエレメントが不要となるので、分離性に優れ、しかも構造が簡単で小型軽量なアンテナ装置とすることができる。
【図面の簡単な説明】
【図１】本発明に係るアンテナ装置を示す斜視図である。
【図２】図１のアンテナ装置の作用を説明するための説明図である。
【図３】従来のアンテナ装置を示す斜視図である。
【符号の説明】
１    第１のエレメント
１ａ  先端
２    第２のエレメント
２ａ  基端
Ｂ    ベース部材
【図１】
2004304499.tif 000003
【図２】
2004304499.tif 000004
【図３】
2004304499.tif 000005